(57)【特許請求の範囲】
【請求項１】
複数の連動元端末と、連動元端末に連動し所定の動作を行う複数の連動先端末と、連動先端末に対して連動関係の維持または解除を指示する連動／非連動信号を送信する連動／非連動指示手段とを備える防災システムにおいて、
前記複数の連動先端末は、所定数のグループに分けられているとともに、それぞれの連動先端末において、どのグループに属しているか設定され、
連動／非連動信号は、グループ数と同じビット数からなり、各ビットがそれぞれ各別１つのグループに対応し連動及び非連動のいずれかを指示する内容であり、
連動先端末におけるグループ設定は、グループ数と同じビット数からなるデータの各ビットについて、それぞれ各別に１つのグループに対応させ、そのグループに属しているか否かを設定することにより行われることを特徴とする防災システム。
【請求項２】
連動元端末と連動先端末と連動・非連動指示手段とが知的分散型制御ネットワークに接続されて構成されていることを特徴とする請求項１に記載の防災システム。
【請求項３】
連動先端末は、防排煙端末であることを特徴とする請求項１又は２記載の防災システム。
【請求項４】
防排煙端末を作動させる制御信号を出力する制御回路を備える中継器と、
制御回路に接続され、所定温度に達したことを検出する温度センサとが設けられ、
前記温度センサにより所定温度に達したことが検出されると、制御回路から制御信号が出力されることを特徴とする請求項３に記載の防災システム。
【請求項５】
制御回路は、ＯＮ／ＯＦＦ状態を切り替えることで防排煙端末に制御信号を出力するスイッチ部と、スイッチ部に制御信号を出力させる信号出力指示部からなるリレースイッチを備え、
前記温度センサにより所定温度に達したことが検出されると、信号出力指示部を介してスイッチ部から制御信号が出力されることを特徴とする請求項４に記載の防災システム。
【請求項６】
制御回路は、ＯＮ／ＯＦＦ状態を切り替えることで防排煙端末に制御信号を出力するスイッチ部と、スイッチ部に制御信号を出力させる信号出力指示部からなるリレースイッチを備え、
前記温度センサにより所定温度に達したことが検出されると、信号出力指示部とは無関係にスイッチ部から制御信号が出力されることを特徴とする請求項４に記載の防災システム。
【発明の詳細な説明】
【０００１】
【発明の属する技術分野】
本発明は、端末のグループごとに連動／非連動を設定できる防災システムに関する。
【０００２】
【従来の技術】
従来より、防災システムでは、受信機などの中央処理装置が、感知器や防排煙端末など多数の端末器と回線を介して接続され、これらと送受信しながら火災の監視、報知を行うシステムを採用していた。
従来の防災システムの例を、図７に示した。図７に示す防災システム１では、受信機２に防排煙端末３〜防排煙端末７が接続されており、これらは図示しない感知器に連動して出力動作する。受信機２は端末同士の連動関係に関する連動データを記憶している。
防排煙端末３〜防排煙端末７はいくつかのグループに分けられ、各端末には自己が所属しているグループのグループアドレスが与えられている。図７では、グループ１に防排煙端末３、防排煙端末５、グループ２とグループ３に防排煙端末４、グループ４に防排煙端末６が属している。受信機２は、各グループのグループアドレスを記憶し、グループごとにＯＮ／ＯＦＦ信号を送り、連動／非連動設定を変更する。例えば図７に示す防災システム１では、防排煙端末３〜防排煙端末７を４つのグループに分類しているので、受信機２は４つのアドレスを記憶する。
【０００３】
【発明が解決しようとする課題】
しかしながら、受信機２のメモリ内のアドレステーブルに設定可能なアドレス数は有限であるので、上記のように、グループ数と同じ数のアドレスが必要となると、設置される端末数が多い大規模なシステムでは、グループ数も多く、受信機２側のアドレステーブルが足りなくなる可能性があった。また、端末が多いと通信パケットの数も多くなり、回線が混雑するという問題もあった。
このことは、防災システムにおける防排煙端末に限らず、連動／非連動制御されるその他の端末についても言えることである。
【０００４】
本発明の課題は、防災システムにおいて、システムの規模が大きくなり防排煙端末などの端末が多くても、中央処理装置等のアドレステーブルの消費を抑えると共に、通信回線の混雑を防ぐことにある。
【０００５】
【課題を解決するための手段】
以上の課題を解決するため、請求項１に記載の発明は、例えば図１及び図２に示すように、
複数の連動元端末（感知器１１、１２）と、連動元端末に連動し所定の動作を行う複数の連動先端末（防排煙端末１３、１４、１５、１６、１７）と、連動先端末に対して連動関係の維持または解除を指示する連動／非連動信号を送信する連動／非連動指示手段（受信機９）とを備える防災システム（１０）において、
前記複数の連動先端末は、所定数のグループに分けられているとともに、それぞれの連動先端末において、どのグループに属しているか設定され、
連動／非連動信号は、グループ数と同じビット数からなり、各ビットがそれぞれ各別１つのグループに対応し連動及び非連動のいずれかを指示する内容であり、
連動先端末におけるグループ設定は、グループ数と同じビット数からなるデータの各ビットについて、それぞれ各別に１つのグループに対応させ、そのグループに属しているか否かを設定することにより行われることを特徴とする防災システムである。
【０００６】
請求項１に記載の発明によれば、防災システムにおいて、連動元端末に連動する複数の連動先端末は所定数のグループに分けられており、連動先端末自身に、自己がどのグループに属しているか設定されている。連動／非連動指示手段が送信する連動／非連動信号は、例えば連動先端末をｎグループに分類した場合はｎビットで構成されており、各ビットが各別１つのグループに対応している。従って、連動／非連動指示手段は１回の連動／非連動信号で全ての連動先端末に対してグループごとに連動／非連動の指示を与えることができるので、連動／非連動指示手段内の連動先端末宛のアドレスは１つで済み、また通信パケットの数も１回で済むので、通信回線の混雑を防ぐことができる。
また、請求項１に記載の発明によれば、連動先端末におけるグループ設定は、連動先端末をｎグループに分類する場合はｎビット数からなり、各ビットがそれぞれ一つのグループに対応している。このように、各ビットとグループが１対１で対応しているため、例えば一つの連動先端末を複数のグループに所属するように設定することが可能となる。
ここで「連動元端末」としては、各種火災感知器や発信機などが挙げられ、「連動先端末」としては防排煙端末が、「連動／非連動指示手段」としては受信機やホストコンピュータなどが挙げられる。
【０００７】
請求項１に記載の防災システムは、請求項２に記載の発明のように、連動元端末と連動先端末と連動／非連動指示手段とが知的分散型制御ネットワーク（Ｎ）に接続されて構成されていてもよい。
ここで、知的分散型制御ネットワークとしては、例えばＬＯＮＷＯＲＫＳネットワーク（米国エシュロン社開発）が挙げられる。
【００１０】
請求項３に記載の発明は、請求項１又は２記載の防災システムにおいて、連動先端末は、防排煙端末であることを特徴とする。
ここで防排煙端末とは、防火扉、排煙口など火災の拡大を防いだり、煙を防ぐ、あるいは所定方向に排除するために作動するものである。
【００１１】
請求項４に記載の発明は、請求項３に記載の防災システムにおいて、
防排煙端末を作動させる制御信号を出力する制御回路（２１、３１）を備える中継器（２０、３０）と、
制御回路に接続され、所定温度に達したことを検出する温度センサ（２４）とが設けられ、
前記温度センサにより所定温度に達したことが検出されると、制御回路から制御信号が出力されることを特徴とする。
【００１２】
請求項４に記載の発明によれば、温度センサにより所定温度に達したことが検出されると、制御回路から制御信号が出力される。従って、仮に高温により制御回路内のＣＰＵやドライバなどが正常に動作しない場合でも、強制的に制御回路から制御信号が出力され、防排煙端末が作動するので、防災システムの安全性を高めることができる。
【００１３】
請求項５に記載の発明は、請求項４に記載の防災システムにおいて、
制御回路は、ＯＮ／ＯＦＦ状態を切り替えることで防排煙端末に制御信号を出力するスイッチ部（Ｓ）と、スイッチ部に制御信号を出力させる信号出力指示部（リレー部Ｒ）からなるリレースイッチ（２５）を備え、
前記温度センサにより所定温度に達したことが検出されると、信号出力指示部を介してスイッチ部から制御信号が出力されることを特徴とする。
【００１４】
請求項５の発明によれば、中継器に設けられた温度センサが所定温度に達したことを検出すると、信号出力指示部を介してスイッチ部から制御信号が出力されるので、確実に防排煙端末を制御できる。
【００１５】
請求項６に記載の発明は、請求項４に記載の防災システムにおいて、
制御回路は、ＯＮ／ＯＦＦ状態を切り替えることで防排煙端末に制御信号を出力するスイッチ部（Ｓ）と、スイッチ部に制御信号を出力させる信号出力指示部（リレー部Ｒ）からなるリレースイッチ（２５）を備え、
前記温度センサにより所定温度に達したことが検出されると、信号出力指示部とは無関係にスイッチ部から制御信号が出力されることを特徴とする。
【００１６】
請求項６の発明によれば、温度センサにより所定温度に達したことが検出されると、リレースイッチ内に設けられた信号出力指示部とは無関係にスイッチ部から制御信号が防排煙端末に出力される。従って、例えば高温により信号出力指示部が作動できない場合であっても、防排煙端末を制御でき、より安全性が高い。
【００１７】
【発明の実施の形態】
以下、本発明の実施の形態を図１から図６に基づいて詳細に説明する。図１は、本発明の一例としての防災システム１０の概略を示す図である。防災システム１０は、受信機９とこれに接続される多数の端末器から構成され、図１では、感知器１１、１２、防排煙端末１３、１４を例示した。
図１において、感知器１１と防排煙端末１３、感知器１２と防排煙端末１４がそれぞれ連動関係に設定されている。防災システム１０では図１には示されていない他の端末機器においても、このような連動関係が設定されている。連動／非連動については後述する。
【００１８】
防災システム１０は、知的分散型制御ネットワークＮから構成され、受信機９、感知器１１、１２、防排煙端末１３、１４はそれぞれハードウェアであるノード９ａ、１１ａ、１２ａ、１３ａ、１４ａを搭載し、このノード９ａ、１１ａ〜１４ａが、ネットワークＮに接続されている。ノード９ａ、１１ａ〜１４ａは、それぞれネットワーク構築のための専用マイコンであるニューロンチップ（図示略）や、ニューロンチップをネットワークＮに物理的に接続するためのトランシーバ（図示略）などを有する。ニューロンチップはＣＰＵ（Central Processing Unit）や各種メモリなどからなる。各ニューロンチップごとに所定の設定が行われ、これにより受信機９、感知器１１、１２、防排煙端末１３、１４それぞれにインテリジェンスを持たせ、かつ、互いに通信可能とし知的分散型制御ネットワークＮを構築している。
なお、図１は、防災システム１０の一部を示したものであり、ネットワークＮには多数の各種端末器が接続され、これら端末器にもノードが搭載されている。
【００１９】
防災システム１０では、受信機９は全ての端末器に接続されてはいるが、全ての端末器を統括制御するものではない。受信機９はシステム全体の状況を把握する役目をするものであり、受信機９と各端末はほぼ対等な関係にある。
【００２０】
受信機９は、各端末に接続され、防災システム１０内の現在の状況を把握し、その状況を表示したり、警報により火災報知を行う。さらに、スイッチ等を備える図示しない操作部を有し、該操作部を介して各種設定、設定解除などが可能になっており、それら設定に応じて所定の信号を各端末に送信したりする。具体的には例えば連動／非連動信号を送信し、すなわち、ここでは受信機９が本発明の連動／非連動指示手段となる。
連動元端末である感知器１１、１２としては、例えば煙感知器、熱感知器、炎感知器などが挙げられ、火災を検出し発報信号を出力し、受信機９などに送信するものである。
連動先端末である防排煙端末１３、１４としては防火扉、排煙口などが挙げられる。
【００２１】
防災システム１０を構成する受信機９及び各端末（ノード）のニューロンチップは、図２に例示するように自己アドレスのメモリエリアとアドレステーブルのメモリエリアをそれぞれ有し、該アドレステーブルには有限個の（本実施例では１５個の）アドレステーブルの送信先アドレスを記憶できるようになっている。なお、図２では、防災システム１０のうち防排煙端末１４、感知器１２については省略し、受信機９、感知器１１、防排煙端末１３について詳細に示す。
具体的には、受信機９は自己アドレスを、感知器１１、防排煙端末１３は、それぞれ自己のアドレスと自己の同報アドレス（以下、自己同報アドレス）を保有している。
防災システム１０では、前述のように多数の防排煙端末が設置され、これら防排煙端末は、例えば、防火扉などの種別や、フロアなどの防災区域単位でグループ分けされている。
同報アドレスは、例えば受信機９が送信先（全てのグループ）に属する全ての防排煙端末に対して同じ内容の信号を送信する際に使用する共通のアドレスである。
【００２２】
また、送信先アドレスとしては、例えば、受信機９は、防排煙端末１３のアドレス及び同報アドレスなどを記憶し、感知器１１は、受信機９のアドレス、防排煙端末１３のアドレスなどを記憶し、防排煙端末１３は、受信機９のアドレスなどを記憶している。
受信機９、感知器１１、防排煙端末１３それぞれは、ネットワークＮを介して送られてきた信号の送信先アドレスをチェックし、それが自己アドレスあるいは自己同報アドレスであれば、その信号をニューロンチップ内の特定のＣＰＵに取り込んで処理するようになっている。
【００２３】
防災システム１０における火災検出時の動作の概略を図２に基づいて説明する。
例えば、感知器１１が火災を検出し、発報信号を受信機９及び防排煙端末１３に対して送信する。受信機９は、この発報信号を受けて所定の各種警報動作を行う。一方、防排煙端末１３は、感知器１１からの発報信号を受けて出力動作するとともに（例えば防火扉であれば閉じる動作）、受信機９に対して出力動作した旨の応答信号を出力するようになっている。また、防排煙端末１３は、発報信号に応じての出力動作後、所定時間経過すると例えば受信機１１からの制御信号などによって復帰すべく出力動作する。
なお、ここでは、感知器１１からの発報信号のような防排煙端末を制御駆動するコマンド信号を制御信号という。
【００２４】
防災システム１０では、前述のように、防排煙端末はグループ分けされ、１つの防排煙端末が複数のグループに属していることもある。そして、防排煙端末と感知器との連動関係は、受信機９からの連動／非連動信号によりグループ単位で非連動に切り替えることができる。図３、図４に基づいて、この連動／非連動の切り替えについて説明する。
【００２５】
図３には、防排煙端末として、前記防排煙端末１３、１４に加えて、防排煙端末１５〜防排煙端末１７を示した。
ここでは、防排煙端末１３はグループ１に、防排煙端末１４はグループ２、３に、防排煙端末１５はグループ１に、防排煙端末１６はグループ４に属している。防排煙端末１７はどのグループにも属さない。
防排煙端末１３〜防排煙端末１７は、前記ニューロンチップ内のメモリにおいて、数列をもって自己のグループを記憶し、ｎ種類のグループに分類する場合には、ｎビットの数列Ａｍで記憶する。図３のように４つのグループに分類する場合は、４ビットの数列「ｘ1ｘ2ｘ3ｘ4」（ｘ＝０または１）である。４ビットの数列Ａｍのうち、ｘ1がグループ１に、ｘ2がグループ２に、ｘ3がグループ３に、ｘ4がグループ４に、それぞれ対応し、自己が所属するグループについては、ｘ1〜ｘ4の設定を「１」とし、所属していないグループについては「０」に設定する。
すなわち、図３に示すように、防排煙端末１３をグループ１に分類するときは「１０００」のように１番目に「１」を立てる。防排煙端末１４をグループ２と３に分類するときは「０１１０」のように、２番目と３番目に「１」を立てる。同様に、防排煙端末１５は「１０００」、防排煙端末１６は「０００１」、防排煙端末１７は「００００」と設定する。図４（ａ）には、このグループの分類をまとめて表に示した。なお、この設定は、防災システム１０の立ち上げ時に、ネットワークＮに接続した管理ツール（パソコンなど）により各端末について行う。
【００２６】
一方、受信機９は、連動／非連動信号として送信する連動／非連動データを記憶する。連動／非連動データは、受信機９に接続されている防排煙端末がｎ種類のグループに分類されている場合には、ｎビットの数列Ｂｍ「ｙ1ｙ2ｙ3・・・ｙn」（ｙ＝０または１）として記憶する。
ｎビットの数列Ｂｍのうち、ｙ1がグループ１に、ｙ2がグループ２に、ｙ3がグループ３に、というように各列が各グループにそれぞれ対応し、連動関係を維持させたいグループについては、各列の設定を「０」とし、連動関係を解除させ、非連動としたいグループについては「１」に設定する。各防排煙端末は、自己が属しているグループについて「１」が設定されている連動／非連動信号が送信されてくると、非連動状態に切り替わるようになっている。つまり、ｘn＝ｙn＝１となるｎが存在する場合に、各防排煙端末は非連動状態に切り替わる。
例えば、防排煙端末１３〜防排煙端末１７を４種類のグループに分け、受信機９が連動／非連動信号として数列Ｂｍ「１０００」を送信した場合、数列Ｂｍのｙ1は１である。防排煙端末１３、１５はグループ１に設定されているのでｘ1＝１であり、ｘn＝ｙn＝１となるｎが存在するので（ｎ＝１）、防排煙端末１３、１５は非連動状態に切り替わる。しかし、防排煙端末１４、１６、１７はｘ1＝０でありｘn＝ｙn＝１となるｎが存在しないので、連動／非連動信号を無視し、連動関係を維持する。
【００２７】
図４（ｂ）には、受信機９の送信例をまとめて表に示した。
送信例ａは「００００」なので、非連動設定するグループはない。送信例ｂは「１０００」なので、グループ１に分類されている防排煙端末１３と防排煙端末１５が非連動動作に切り替わる。送信例ｃは「０１００」なので、グループ２に分類されている防排煙端末１４が非連動動作する。送信例ｄは「００１１」なのでグループ３とグループ４が非連動設定になり、防排煙端末１４と防排煙端末１６が非連動動作する。送信例ｅは「１１１１」なので全てのグループが非連動設定になる。従って、全ての防排煙端末１３〜防排煙端末１６が非連動動作する。
【００２８】
なお、受信機９における数列Ｂｍの内容は、保守点検時などにおいて作業者が自在に切り替えられるようになっている。
そして受信機９は、連動／非連動信号を、所定の間隔で定期的に送信するハートビート信号として、接続されている全ての防排煙端末１３〜防排煙端末１７に、前記同報アドレスを使用し同報信号として送信する。
防排煙端末１３〜防排煙端末１７側は、最新の連動／非連動信号に従って、自己の連動／非連動状態を切り替えるようになっている。
【００２９】
防排煙端末１３〜防排煙端末１７の連動／非連動切替処理の動作フローについて、図５に基づいて説明する。まず、図５のステップＳ１において、受信機９から連動／非連動信号を受信するというイベントが生じる。ステップＳ２において、各防排煙端末１３〜防排煙端末１７は、ｘn＝ｙn＝１となるｎが存在するかどうか判定し、存在していればステップＳ３で非連動動作に切り替える処理をし、存在していなければステップＳ４で連動動作を維持する処理をし、この処理を終える。
【００３０】
ところで、防排煙端末１３〜防排煙端末１７には、これを制御駆動する中継器が設けられており、前記ノードは中継器に搭載されている。
図６（ａ）、（ｂ）には、防排煙端末１３〜防排煙端末１７に設けられる中継器の例として、中継器２０、３０内の制御回路２１、３１を示した。制御回路２１、３１は、これらを制御するＣＰＵ２２、ドライブ回路２３、リレースイッチ２５と、所定温度に達すると作動する温度センサ２４等からなる。リレースイッチ２５は、接点が接離することにより、ＯＮ／ＯＦＦが切り替わり、ＯＮになると防排煙端末に制御信号を出力するスイッチ部Ｓと、ドライブ回路２３からの所定の信号によりスイッチ部ＳをＯＮ状態にし、制御信号を出力させるリレー部Ｒ（信号出力指示部）からなる。
通常は、感知器などから中継器２０、３０に発報信号が送信されると、ＣＰＵ２２からドライブ回路２３を介してリレースイッチ２５内のリレー部Ｒに信号が送られ、スイッチ部ＳがＯＮ状態に切り替わり、スイッチ部Ｓは防排煙端末に制御信号を出力する。これにより防排煙端末は出力動作する。
【００３１】
ところで、ＣＰＵ２２やドライブ回路２３などの電子機器は、火災発生などにより周囲の温度が上昇すると、正常に動作しないことがあり、防排煙端末に対して制御信号を送信できなくなる。
このような場合、図６（ａ）に示す制御回路２１では、中継器２０内に取り付けられた温度センサ２４により所定の温度に達したことが検出されるとリレー部Ｒに所定の信号が送信され、スイッチ部ＳをＯＮ状態に切り替える。これによりスイッチ部ＳはＣＰＵ２２等とは無関係に、強制的に防排煙端末に制御信号を出力する。
また、図６（ｂ）に示す制御回路３１では、温度センサ２４により所定の温度に達したことが検出されると、スイッチ部Ｓに所定の信号が送信されてＯＮ状態に切り替わり、防排煙端末に制御信号が出力される。制御回路３１では、リレー部Ｒとは無関係に、強制的に制御信号が防排煙端末に出力される。従って、リレー部Ｒが正常に動作しない場合でも、防排煙端末に制御信号を出力することができる。
【００３２】
以上の防災システム１０によれば、例えば、防排煙端末１３〜防排煙端末１７を４種類のグループに分けた場合には、自己がどのグループに属しているかを４ビットの数列Ａｍ「ｘ1ｘ2ｘ3ｘ4」で記憶している。受信機９が送信する連動／非連動信号は４ビットの数列Ｂｍ「ｙ1ｙ2ｙ3ｙ4」で構成されており、数列Ａｍと同様に各ビットの各列が１つのグループに対応している。非連動としたいグループについては、対応する列の設定を「１」とし、防排煙端末１３〜防排煙端末１７は、送信された連動／非連動信号についてｘn＝ｙn＝１となるｎが存在する場合には非連動設定に切り替え、ｎが存在しない場合には信号を無視しする。
つまり、受信機９は１回の連動／非連動信号で全ての防排煙端末１３〜防排煙端末１７に対して、グループごとに連動／非連動の指示を与えることができるので、受信機９内の防排煙端末１３〜防排煙端末１７宛てのアドレスは同報アドレス１つで済み、また通信パケットの数も１回で済むので、アドレステーブルの消費を節約できると共に通信回線の混雑を防ぐことができる。
【００３３】
また、図６に示すように、例えば周囲の温度が上昇して制御回路２１、３１が正常に働かない場合でも、防排煙中継器２０、３０内に設けられた温度センサ２４が所定温度に達したことを検出すると、強制的にスイッチ部Ｓに制御信号を出力させるので、防排煙端末は確実に制御駆動される。特に図６（ｂ）に示す制御回路３１は、温度センサ２４とリレー部Ｒが直接連結していないので、仮にリレー部が正常に働かない場合でも防排煙端末を制御することができる。
【００３４】
なお、本発明は上記実施の形態に限定されることはなく、適宜変更可能であるのは勿論である。
連動関係については、感知器と防排煙端末には全く限らず、防災システムに設置されるあらゆる端末同士で連動関係を設定することが可能であり、例えば感知器と地区音響、発信機と防排煙端末、あるいは防排煙端末同士など多様な組み合わせで、２個以上の端末器同士で設定できる。本発明はこれらの連動関係に対しても適用できる。
また、上記実施の形態におけるリレースイッチは、直接の機械接触によってスイッチのＯＮ／ＯＦＦが切り替えられる有接点型であるが、ＭＯＳＦＥＴやサイリスタなどの半導体素子をスイッチとして用いた無接点型でもよい。
【００３５】
【発明の効果】
請求項１に記載の発明によれば、防災システムにおいて、連動元端末に連動する複数の連動先端末は所定数のグループに分けられており、連動先端末自身に、自己がどのグループに属しているか設定されている。連動／非連動指示手段が送信する連動／非連動信号は、例えば連動先端末をｎグループに分類した場合はｎビットで構成されており、各ビットが各別１つのグループに対応している。従って、連動／非連動指示手段は１回の連動／非連動信号で全ての連動先端末に対してグループごとに連動／非連動の指示を与えることができるので、連動／非連動指示手段内の連動先端末宛のアドレスは１つで済み、また通信パケットの数も１回で済むので、アドレステーブルの消費を節約できると共に通信回線の混雑を防ぐことができる。
さらに、請求項１に記載の発明によれば、連動先端末におけるグループ設定は、ｎグループに分類する場合はｎビット数からなり、各ビットがそれぞれ一つのグループに対応している。このように、各ビットとグループが１対１で対応しているため、例えば一つの連動先端末を複数のグループに所属するように設定することが可能となり、種別や棟階番などの異なる分類方法を組み合わせる場合にも有効である。
【００３６】
また、請求項１に記載の発明によれば、連動先端末におけるグループ設定は、ｎグループに分類する場合はｎビット数からなり、各ビットがそれぞれ一つのグループに対応している。このように、各ビットとグループが１対１で対応しているため、例えば一つの連動先端末を複数のグループに所属するように設定することが可能となり、種別や棟階番などの異なる分類方法を組み合わせる場合にも有効である。
【００３７】
請求項４に記載の発明によれば、温度センサにより所定温度に達したことが検出されると、制御回路から制御信号が出力される。従って、仮に高温により制御回路内のＣＰＵやドライバなどが正常に動作しない場合でも、強制的に制御回路から制御信号が出力され、防排煙端末が作動するので、防災システムの安全性を高めることができる。
【００３８】
請求項５に記載の発明によれば、中継器に設けられた温度センサが所定温度に達したことを検出すると、信号出力指示部を介してスイッチ部から制御信号が出力されるので、確実に防排煙端末を制御できる。
【００３９】
請求項６の発明によれば、温度センサにより所定温度に達したことが検出されると、リレースイッチ内に設けられた信号出力指示部とは無関係にスイッチ部から制御信号が防排煙端末に出力される。従って、例えば高温により信号出力指示部が作動できない場合であっても、防排煙端末を制御でき、より安全性が高い。
【図面の簡単な説明】
【図１】本発明の防災システムの概略構成を示す図である。
【図２】図１の防災システムの一部構成の詳細を示す図である。
【図３】受信機と防排煙端末との関係を詳細に説明するための図である。
【図４】（ａ）は各防排煙端末がどのグループに属しているかを示す図であり、（ｂ）は受信機から各防排煙端末に送られる信号の送信例である。
【図５】防排煙端末の動作を示すフローチャートである。
【図６】防排煙端末の中継器の制御回路を示す図である。
【図７】従来の防災システムにおける受信機と防排煙端末との関係を説明するための図である。
【符号の説明】
９      受信機（連動／非連動指示手段）
１０    防災システム
１３、１４、１５、１６、１７      防排煙端末（連動先端末）
２０、３０      中継器
２１、３１      制御回路
２２    ＣＰＵ
２３    ドライブ回路
２４    温度センサ
２５    リレースイッチ
Ｎ      知的分散型制御ネットワーク
Ｒ      リレー部（信号出力指示部）
Ｓ      スイッチ部
【図１】
0004363798.tif 000002
【図２】
0004363798.tif 000003
【図３】
0004363798.tif 000004
【図４】
0004363798.tif 000005
【図５】
0004363798.tif 000006
【図６】
0004363798.tif 000007
【図７】
0004363798.tif 000008